(57)【要約】      （修正有）【課題】低い水圧でも全体的に伸長し、使い勝手が向上する伸縮ホースを提供する。【解決手段】水圧によって伸長するホース本体２とホース本体の外方を被覆する伸縮自在のカバー体３とからなる伸縮ホースにおいて、伸縮自在に伸延するホース本体の中途部外周にホース本体の半径方向への膨張を規制する膨張規制管５を設ける。また、膨張規制管の外周にカバー体の中途部内周を接続する。膨張規制管は、剛性を有するプラスチック製の中空管であり、内径をホース本体の通常時の外径と同一か太くし、外径をカバー体の内径と同一か細くする。また、膨張規制管の中央部に形成した一対の貫通孔６に接着材を充填し、膨張規制管の内周面とホース本体の外周面、および膨張規制管の外周面とカバー体の内周面とを接着する。【選択図】図１
0003186235.tif 000002
【実用新案登録請求の範囲】
【請求項１】
水圧によって伸長するホース本体を有する伸縮ホースにおいて、
伸縮自在に伸延するホース本体の中途部外周にホース本体の半径方向への膨張を規制する膨張規制管を設けたことを特徴とする伸縮ホース。
【請求項２】
水圧によって伸長するホース本体と同ホース本体の外方を被覆する伸縮自在のカバー体とからなる伸縮ホースにおいて、
伸縮自在に伸延するホース本体の中途部外周にホース本体の半径方向への膨張を規制する膨張規制管を設けたことを特徴とする伸縮ホース。
【請求項３】
前記膨張規制管の外周に前記カバー体の中途部内周を接続したことを特徴とする請求項２に記載の伸縮ホース。
【考案の詳細な説明】
【技術分野】
【０００１】
本考案は、水圧によって伸長するホース本体を有する伸縮ホースに関するものである。
【背景技術】
【０００２】
従来より、予め所定の長さを有する散水用のホース等では収納が困難であったために、収納が容易な長さでありながら、使用時に水圧によって伸長する伸縮ホースが利用されている（たとえば、特許文献１参照。）。
【０００３】
この伸縮ホースは、水圧によって伸長するゴム製のホース本体の外周外方を布製のカバー体で蛇腹状に伸縮自在に被覆し、ホース本体及びカバー体の両端部に水道管や散水具などと連結する連結具を装着した構成となっている。
【０００４】
そして、伸縮ホースは、一端の連結具に水道管を連結するとともに、他端の連結具に散水具を連結し、水道管から所定の水圧を有する水を供給することで、水圧に応じてホース本体が伸長するようになっている。
【先行技術文献】
【特許文献】
【０００５】
【特許文献１】米国特許８２９１９４１公報
【考案の概要】
【考案が解決しようとする課題】
【０００６】
ところが、上記従来の伸縮ホースでは、水道管から供給される水の圧力（水圧）に応じてホース本体及びカバー体が伸長する構成となっているために、供給される水圧が十分でない場合には所望の長さまで伸縮ホースを伸長させることができず、使い勝手が良好なものではなかった。
【課題を解決するための手段】
【０００７】
そこで、請求項１に係る本考案では、水圧によって伸長するホース本体を有する伸縮ホースにおいて、伸縮自在に伸延するホース本体の中途部外周にホース本体の半径方向への膨張を規制する膨張規制管を設けることにした。
【０００８】
また、請求項２に係る本考案では、水圧によって伸長するホース本体と同ホース本体の外方を被覆する伸縮自在のカバー体とからなる伸縮ホースにおいて、伸縮自在に伸延するホース本体の中途部外周にホース本体の半径方向への膨張を規制する膨張規制管を設けることにした。
【０００９】
また、請求項３に係る本考案では、前記請求項２に係る本考案において、前記膨張規制管の外周に前記カバー体の中途部内周を接続することにした。
【考案の効果】
【００１０】
そして、本考案では、以下に記載する効果を奏する。
【００１１】
すなわち、本考案では、伸縮自在に伸延するホース本体の中途部外周にホース本体の半径方向への膨張を規制する膨張規制管を設けることで、低い水圧でも伸縮ホースを全体的に伸長させることができ、伸縮ホースの使い勝手を向上させることができる。
【００１２】
また、膨張規制管の外周にカバー体の中途部内周を接続した場合には、ホース本体の伸縮に伴ってカバー体も円滑に伸縮させることができ、これによっても伸縮ホースの使い勝手を向上させることができる。
【図面の簡単な説明】
【００１３】
【図１】本考案に係る伸縮ホースの通常時の状態を示す一部切欠側面図。
【図２】同使用時の状態を示す一部切欠側面図。
【図３】同部分拡大断面図。
【考案を実施するための形態】
【００１４】
以下に、本考案に係る伸縮ホースの具体的な構成について図面を参照しながら説明する。
【００１５】
図１〜図３に示すように、伸縮ホース１は、ホース本体２の外周外方をカバー体３で被覆するとともに、ホース本体２及びカバー体３の両端部に水道管（蛇口）や散水具などを連結するための連結具4,4を取付けている。
【００１６】
ホース本体２は、伸縮性及び可撓性を有するゴム製（弾性体）の中空管形状をしており、中空部を通過する水の圧力（水圧）によって伸延方向に伸長する。
【００１７】
このホース本体２は、通常時（中空部に通水していない状態）においては、図１に示すように、所定の長さとなっており、使用時（中空部に通水している状態）においては、図２に示すように、通常時の所定の長さよりも長い状態になる。このように、ホース本体２は、中空部の内圧（水圧）に応じて伸縮するようになっている。なお、図３において、通常時のホース本体２を実線で示し、使用時のホース本体２を一点鎖線で示している。
【００１８】
カバー体３は、可撓性を有する布製の中空管形状をしており、通常時のホース本体２の長さよりも長くなっていて、蛇腹状に折り畳まれた状態でホース本体２の外周外方を被覆している。
【００１９】
このカバー体３は、通常時（ホース本体２の中空部に通水していない状態）においては、図１に示すように、所定の長さに蛇腹状に畳まれた状態となっており、使用時（ホース本体２の中空部に通水している状態）においては、図２に示すように、通常時のホース本体２の所定の長さよりも長い状態に伸長した状態となる。このように、カバー体３は、ホース本体２の中空部の内圧（水圧）に応じて伸縮するようになっている。なお、カバー体３は、ホース本体２の中空部に所定の水圧（たとえば、ホース本体２が破損してしまう限界の水圧など。）が作用した時に伸長するホース本体２の長さよりも短い長さとすることで、ホース本体２の伸長を規制してホース本体２の中空部に所定以上の水圧が作用しないようにして、ホース本体２の破損を防止することもできる。
【００２０】
伸縮ホース１は、ホース本体２の中空部の内圧（水圧）に応じてホース本体２及びカバー体３が伸縮するようになっている。
【００２１】
この伸縮ホース１は、伸縮自在に伸延するホース本体２の中途部外周にホース本体２の半径方向への膨張を規制する膨張規制管５を取付けるとともに、この膨張規制管５の外周にカバー体３の中途部内周を取付けている。
【００２２】
膨張規制管５は、剛性を有するプラスチック製の中空管形状をしており、中空部の内周の直径（内径）をホース本体２の通常時の外周の直径（外径）よりも大きく（又は同一と）するとともに、中空部の外周の直径（外径）をカバー体３の内周の直径（内径）よりも小さく（又は同一と）している。
【００２３】
また、膨張規制管５は、中央部に一対の貫通孔６を形成し、貫通孔６に接着材を充填して、膨張規制管５の内周面とホース本体２の外周面とを接着するとともに、膨張規制管５の外周面とカバー体３の内周面とを接着している。
【００２４】
この膨張規制管５は、中空部の内周の直径（内径）がホース本体２の使用時（膨張時）の外周の直径（外周）よりも小さくなっており、使用時（膨張時）にホース本体２の半径方向への膨張を規制するようになっている。
【００２５】
伸縮ホース１は、使用時にホース本体２の中空部に通水すると、水圧によってホース本体２が伸長し、それに伴ってカバー体３が伸長し、伸縮ホース１が全体的に伸長する。ホース本体２の中途部に膨張規制管５が無くても理想的には水圧によって伸縮ホース１が伸長すると考えられるが、ホース本体２の中途部に膨張規制管５が無い場合には、現実的にはホース本体２の内部に均等に圧力が作用するのではなく、連結具４での圧力損失等の影響を受けてホース本体２の端部近傍の方がホース本体２の伸長させる応力が高くなるなどして、伸縮ホース１が全体的に均等に伸長せずに部分的な伸長に留まってしまい、所望の長さまで伸縮ホース１を伸長させることができない。しかしながら、ホース本体２の中途部に膨張規制管５を設けることでホース本体２が膨張規制管５で分離された状態となり、実質的に１本の長いホース本体２が２本の短いホース本体２となり、膨張規制管５での圧力損失等の影響を受けて連結具４と膨張規制管５との間で各分離されたホース本体２を伸長させることができる。これにより、ホース本体２を全体的に伸長させることができる。なお、ホース本体２の伸長に伴ってカバー体３も全体的に伸長させることができる。
【００２６】
また、伸縮ホース１は、使用後にホース本体２の中空部の通水を停止すると、水圧の低下に伴ってホース本体２が短縮し、それに伴ってカバー体３が短縮し、伸縮ホース１が全体的に短縮する。理想的にはホース本体２の中空部の水圧が全体的に均等に減少してホース本体２が全体的に均等に短縮することになるが、現実的にはホース本体２の曲がり具合等の影響を受けて中空部の水圧が不均等に減少してホース本体２が部分的に短縮してしまう。その際に、カバー体３も部分的に短縮することになり、カバー体３全体が円滑に短縮しないおそれがある。しかしながら、ホース本体２の中途部に設けた膨張規制管５にカバー体３を接続することでカバー体３も膨張規制管５で分離された状態となり、実質的に１本の長いカバー体３が２本の短いカバー体３となり、連結具４と膨張規制管５との間で各分離されたカバー体３をホース本体２とともに短縮させることができる。これにより、カバー体３を全体的に均等に短縮させることができる。
【００２７】
なお、本考案では、ホース本体２の中途部に膨張規制管５を設けていればよく、伸延するホース本体２の中央に１個の膨張規制管５を設けた場合に限られず、ホース本体２の伸延方向に沿って均等又は不均等な間隔をあけて複数個の膨張規制管５を設けてもよい。この場合には、連結具４と膨張規制管５との間だけでなく隣り合う膨張規制管５同士の間で分離されたホース本体２が伸長することになる。
【００２８】
以上に説明したように、上記伸縮ホース１では、伸縮自在に伸延するホース本体２の中途部外周にホース本体２の半径方向への膨張を規制する膨張規制管５を設けた構成となっている。
【００２９】
そのため、上記構成の伸縮ホース１では、低い水圧でも伸縮ホース１を全体的に伸長させることができ、伸縮ホース１の使い勝手を向上させることができる。
【００３０】
また、上記伸縮ホース１では、膨張規制管５の外周にカバー体３の中途部内周を接続した構成となっている。
【００３１】
そのため、上記構成の伸縮ホース１では、ホース本体２の伸縮に伴ってカバー体３も円滑に伸縮させることができ、これによっても伸縮ホース１の使い勝手を向上させることができる。
【符号の説明】
【００３２】
１  伸縮ホース
２  ホース本体
３  カバー体
４  連結具
５  膨張規制管
６  貫通孔
【図１】
0003186235.tif 000003
【図２】
0003186235.tif 000004
【図３】
0003186235.tif 000005